(57)【要約】【課題】コネクタハウジングにコネクタ用保護カバーを取り付ける取り付け作業性が良いコネクタ用保護カバーを提供する。【解決手段】コネクタ用保護カバー１０は、コネクタハウジング２の電線引出口３ａ側に配置され、電線引出口３ａから引き出された電線Ｗを覆うカバー本体１１と、カバー本体１１に設けられ、コネクタハウジング２の外周面に嵌合されるハウジング嵌合部１２と、ハウジング嵌合部１２内に突設され、コネクタハウジング２の電線引出口３ａに入り込むロッド部１３とを備えている。【選択図】図１
2018198192.tif 000002
【特許請求の範囲】
【請求項１】
コネクタハウジングの電線引出口側に配置され、前記電線引出口から引き出された電線を覆うカバー本体と、
前記カバー本体に設けられ、前記コネクタハウジングの外周面に嵌合されるハウジング嵌合部と、
前記ハウジング嵌合部内に突設され、前記コネクタハウジングの電線引出口内に入り込むロッド部とを備えたことを特徴とするコネクタ用保護カバー。
【請求項２】
請求項１記載のコネクタ用保護カバーであって、
前記ロッド部は、先端側がテーパ面に形成されていることを特徴とするコネクタ用保護カバー。
【請求項３】
請求項１又は請求項２記載のコネクタ用保護カバーであって、
前記カバー本体に設けられ、前記コネクタハウジングのハウジングロック部の両方の外側面に沿って配置される一対のロック保護壁を有することを特徴とするコネクタ用保護カバー。
【請求項４】
請求項３記載のコネクタ用保護カバーであって、
前記ロッド部は、一対設けられ、
一対の前記ロッド部は、前記ハウジングロック部の両隣りに位置する一対の前記電線引出口内に入り込むことを特徴とするコネクタ用保護カバー。
【請求項５】
請求項１〜請求項４のいずれかに記載のコネクタ用保護カバーであって、
前記ロッド部は、コネクタ用保護カバーのコネクタハウジングへの取り付け状態にあって、端子保持部に係止する係止部を有することを特徴とするコネクタ用保護カバー。
【発明の詳細な説明】
【技術分野】
【０００１】
本発明は、コネクタハウジングより引き出された電線を保護するコネクタ用保護カバーに関する。
【背景技術】
【０００２】
コネクタ用保護カバーの第１従来例として、特許文献１に開示されたものが提案されている。このコネクタ用保護カバー５０は、図７に示すように、コネクタハウジング６０の電線引出口６１を塞ぎ、電線引出口６１から引き出された電線Ｗを覆うカバー本体５１と、カバー本体５１の前面より突設され、各電線引出口６１にそれぞれ嵌合する複数の嵌合凸部５２とを備えている。コネクタ用保護カバー５０には、２つの嵌合凸部５２内に貫通する電線貫通孔５３が形成されている。
【０００３】
コネクタ用保護カバー５０のコネクタハウジング６０への取付け作業を説明する。端子５５付きの電線Ｗを電線貫通孔５３に通す。次に、各嵌合凸部５２をコネクタハウジング６０の電線引出口６１内に嵌合する。これで、完了する。
【０００４】
コネクタ用保護カバーの第２従来例として、特許文献２に開示されたものが提案されている。このコネクタ用保護カバー７０は、図８、図９に示すように、コネクタハウジング６０の電線引出口（図示せず）を塞ぎ、電線引出口から引き出された電線（図示せず）を覆う一対の分割カバー体７１と、これらを連結するヒンジ部部７２とを備えている。各分割カバー体７１には、係止溝７３がそれぞれ設けられている。コネクタハウジング６０側には、係止溝が入り込む係止突起（図示せず）が設けられている。
【０００５】
コネクタ用保護カバー７０のコネクタハウジング６０への取付け作業を説明する。端子付きの電線（図示せず）を一対の分割カバー体７１で包むように配置し、且つ、一対の分割カバー体７１の各係止溝７３でコネクタハウジング６０側の係止突起（図示せず）を挟み込むようにしてコネクタ用保護カバー７０をコネクタハウジング６０に組み付ける。これで、完了する。
【先行技術文献】
【特許文献】
【０００６】
【特許文献１】特開２０１７−２７７８５号公報
【特許文献２】特開２０１３−４５６１１号公報
【発明の概要】
【発明が解決しようとする課題】
【０００７】
しかしながら、前記第１従来例のコネクタ用保護カバー５０では、各電線貫通孔５３に端子５５付きの電線Ｗをそれぞれ貫通させる必要があるため、取り付け作業性も悪いという問題があった。
【０００８】
前記第２従来例のコネクタ用保護カバー７０では、一対の分割カバー体７１の各係止溝７３でコネクタハウジング６０側の係止突起（図示せず）を挟み込むようにしてコネクタ用保護カバー７０をコネクタハウジング６０に組付ける必要があるため、第１従来例と同様に、コネクタ用保護カバー５０の取り付け作業性が悪いという問題がある。
【０００９】
そこで、本発明は、前記した課題を解決すべくなされたものであり、コネクタハウジングにコネクタ用保護カバーを取り付ける取り付け作業性が良いコネクタ用保護カバーを提供することを目的とする。
【課題を解決するための手段】
【００１０】
本発明は、コネクタハウジングの電線引出口側に配置され、前記電線引出口から引き出された電線を覆うカバー本体と、前記カバー本体に設けられ、前記コネクタハウジングの外周面に嵌合されるハウジング嵌合部と、前記ハウジング嵌合部内に突設され、前記コネクタハウジングの電線引出口に入り込むロッド部とを備えたことを特徴とするコネクタ用保護カバーである。
【発明の効果】
【００１１】
本発明によれば、コネクタ用保護カバーをコネクタハウジングに１アクション（嵌合動作のみ）で取り付けできるため、コネクタハウジングにコネクタ用保護カバーを取り付ける取り付け作業性が良い。
【図面の簡単な説明】
【００１２】
【図１】本発明の一実施形態を示し、（ａ）はコネクタ用保護カバーをコネクタハウジングに取り付けた状態を示す斜視図、（ｂ）は（ａ）のＡ−Ａ線断面図である。
【図２】本発明の一実施形態を示し、図１（ｂ）のＢ−Ｂ線断面図である。
【図３】本発明の一実施形態を示し、（ａ）はコネクタ用保護カバーのコネクタハウジングへの取り付け前の状態を示す斜視図、（ｂ）はコネクタ用保護カバーのコネクタハウジングへの取り付け途中の状態を示す断面図である。
【図４】本発明の一実施形態を示し、コネクタ用保護カバーの正面図である。
【図５】本発明の一実施形態の第１変形例を示し、コネクタ用保護カバーをコネクタハウジングに取り付けた状態を示す断面図（図１（ｂ）に相当する）である。
【図６】本発明の一実施形態の第２変形例を示し、コネクタ用保護カバーをコネクタハウジングに取り付けた状態を示す断面図（図１（ｂ）に相当する）である。
【図７】第１従来例を示し、コネクタ用保護カバーのコネクタハウジングへの取り付け前の状態を示す斜視図である。
【図８】第２従来例を示し、コネクタ用保護カバーのコネクタハウジングへの取り付けた状態を示す平面図である。
【図９】第２従来例を示し、コネクタ用保護カバーの内面側の展開図である。
【発明を実施するための形態】
【００１３】
以下、本発明の一実施形態を図面に基づいて説明する。
【００１４】
図１〜図５は本発明の一実施形態を示す。コネクタ１は、コネクタハウジング２とコネクタハウジング２の端子収容室３に収容された端子８とを備えている。尚、図面では、端子８付き電線Ｗを１つのみ表示している。
【００１５】
コネクタハウジング２の上面中央には、前後方向に沿って延びる凹部４が形成されている。この凹部４には、方形枠体のハウジングロック部５が設けられている。ハウジングロック部５は、相手側コネクタハウジング（図示せず）とのロック用である。端子８は、端子保持部であるランス９（図１（ｂ）に示す）によって位置決めされている。端子８に接続された電線Ｗは、端子収容室３の開口端である電線引出口３ａより引き出されている。
【００１６】
コネクタ用保護カバー１０は、樹脂材、ゴム材又はエラストマー材等より形成されている。コネクタ用保護カバー１０は、カバー本体１１と、カバー本体１１に設けられたハウジング嵌合部１２と、ハウジング嵌合部１２内に突設された一対のロッド部１３と、カバー本体の後端に連結された電線引出用筒部１６とを備えている。
【００１７】
カバー本体１１は、コネクタハウジング２の電線引出口３ａ側を配置され、電線引出口３ａから引き出された電線Ｗを覆う方形筒状に形成されている。カバー本体１１の上面側には、一対のロック保護壁１４が設けられている。一対のロック保護壁１４は、カバー本体１１より下方に向かって垂直に突設されている。一対のロック保護壁１４は、その間隔がハウジングロック部５の両外側面の間隔に設定されている。一対のロック保護壁１４は、コネクタ用保護カバー１０のコネクタハウジング２への取り付け状態では、コネクタハウジング２のハウジングロック部５の両側面を挟み込む位置に配置される。
【００１８】
カバー本体１１の一対のロック保護壁１４の間は、開口部１５に形成されている。開口部１５には、コネクタ用保護カバー１０のコネクタハウジング２への取り付け過程で、コネクタハウジング２のハウジングロック部５が進入する。
【００１９】
ハウジング嵌合部１２は、カバー本体１１の前部に一体に設けられている。ハウジング嵌合部１２の内周寸法は、コネクタハウジング２の後方から見た外形寸法とほぼ同じ寸法に形成されている。これにより、ハウジング嵌合部１２は、コネクタハウジング２の外周面に嵌合される。
【００２０】
一対のロッド部１３は、コネクタハウジング２の各電線引出口３ａ内に入り込む。各ロッド部１３は、端子収容室３にほぼ隙間なく入り込む四角形のロッド形状である。各ロッド部１３の先端側の四面がテーパ面１３ａにそれぞれ形成されている。各ロッド部１３の先端側は、４面のテーパ面１３によって先端に向かうに従って細くなっている。一対のロッド部１３は、一対のロック保護壁１４の外側位置にそれぞれ位置している。一対のロッド部１３は、コネクタ用保護カバー１０のコネクタハウジング２への取り付け状態では、ハウジングロック部５の両隣りに位置する一対の電線引出口３ａ内、つまり、端子収容室３に入り込む。
【００２１】
次のコネクタ用保護カバー１０のコネクタハウジング２への取り付け作業を説明する。図３（ａ）に示すように、コネクタハウジング２の電線引出口３ａより引き出された電線Ｗが貫通したコネクタ用保護カバー１０を、そのハウジング嵌合部１２をコネクタハウジング２の電線引出口３ａ側の外周面に位置合わせし、コネクタハウジング２の外周面に嵌合する。コネクタ用保護カバー１０の電線引出用筒部１６と電線引出用筒部１６より引き出された電線束Ｗ１を一括して隙間なくテープＴで巻き付ければ、完了する（図１（ａ）、（ｂ）参照）。
【００２２】
このコネクタ用保護カバー１０の嵌合過程では、一対のロック保護壁１４がコネクタハウジング２の凹部４内に入り込み、その後、ハウジングロック部５の両側面を挟み込む位置（両側面に沿った位置）に位置する。又、コネクタ用保護カバー１０の嵌合過程では、一対のロッド部１３がハウジングロック部５の両隣りに位置する一対の電線引出口３ａ内に入り込む。
【００２３】
以上説明したように、コネクタ用保護カバー１０は、コネクタハウジング２の電線引出口３ａ側に配置され、電線引出口３ａから引き出された電線Ｗを覆うカバー本体１１と、カバー本体１１に設けられ、コネクタハウジング２の外周面に嵌合されるハウジング嵌合部１２と、ハウジング嵌合部１２内に突設され、コネクタハウジング２の電線引出口３ａ内に入り込むロッド部１３とを備えている。
【００２４】
従って、コネクタ用保護カバー１０をコネクタハウジング２に１アクション（嵌合動作のみ）で取り付けできるため、取り付け作業性が良い。又、コネクタ用保護カバー１０は、そのハウジング嵌合部１２がコネクタハウジング２に嵌合すると共にロッド部１３が電線引出口３ａ内、つまり、端子収容室３に入り込むため、コネクタ用保護カバー１０をコネクタハウジング２に強固に取り付けできる。
【００２５】
ロッド部１３は、先端側がテーパ面１３ａに形成されている。従って、ロッド部１３を電線引出口３ａに挿入する際に、テーパ面１３ａが挿入ガイドとなるため、取り付け作業性が向上する。具体的には、図３（ｂ）に示すように、コネクタハウジング２に対し斜め方向から嵌合すると、先ず、ロッド部１３が電線引出口３ａの周縁に当接する。この際にロッド部１３の先端部のテーパ面１３ａが挿入ガイドとなり、スムーズに嵌合できる。
【００２６】
各ロッド部１３の先端側の四面がテーパ面１３ａにそれぞれ形成されている。従って、どの方向からの斜め挿入でも、挿入ガイドとして機能する。
【００２７】
尚、ロッド部１３は、ハウジング嵌合部１２の先端面より前方に突出する構成とすれば、斜め方向からの嵌合時にみならず、正対方向からの嵌合時にも挿入ガイドとして機能する。
【００２８】
コネクタ用保護カバー１０は、カバー本体１１に設けられ、コネクタハウジング２のハウジングロック部５を挟み込む位置（ハウジングロック部５の両外側面に沿う位置）に配置する一対のロック保護壁１４を有する。
【００２９】
従って、一対のロック保護壁１４でハウジングロック部５が保護されるため、ハウジングロック部５に小石、塵等の異物が入り込むことを極力防止できる。又、一対のロック保護壁１４は、コネクタ用保護カバー１０のコネクタハウジング２への取り付け過程で、コネクタハウジング２の凹部４の両内面に沿って挿入され、挿入ガイドとなるため、取り付け作業性が向上する。
【００３０】
ロッド部１３は、一対設けられ、一対のロッド部１３は、ハウジングロック部５の両隣りに位置する一対の電線引出口３ａ内、つまり、端子収容室３に入り込む。従って、一対のロッド部１３は、ハウジングロック部５を挟み込む位置でコネクタハウジング２を保持する。
【００３１】
ロッド部１３は、電線引出口３ａ内、つまり、端子収容室３に嵌合する寸法とすることによって、コネクタ用保護カバー１０をコネクタハウジング２に更に強固に取り付けできる。
【００３２】
一対の各ロック保護壁１４と一対の各ロッド部１３は、電線引出口３ａ（端子収容室３）を形成する側壁６（図２に示す）をそれぞれ挟み込む構成でコネクタハウジング２を保持する。
【００３３】
図５は、前記実施形態の第１変形例を示す。この第１変形例では、一対のロッド部１３は、前記実施形態のものと比較するに、長い寸法に形成されている。各ロッド部１３の先端部には、各ロッド部１３の先端部ランス９に係止する係止部である係止溝２０が形成されている。係止溝２０は、コネクタ用保護カバー１０のコネクタハウジング２への取り付け状態にあって、端子収納室３のランス９に係止する。各ロッド部１３の先端部は、爪形状に形成されている。各ロッド部１３の先端面の周縁は、前記実施形態と同様に、テーパ面１３ａに形成されている。
【００３４】
他の構成は、前記実施形態と同じであるため、説明を省略する。又、図面の同一構成箇所には同一符号を付して明確化を図る。
【００３５】
この第１変形例では、コネクタ用保護カバー１０のコネクタハウジング２への取り付け状態にあって、ロッド部１３の係止溝２０がランス９に係止するため、コネクタ用保護カバー１０をコネクタハウジング２に更に強固に取り付けできる。
【００３６】
ロッド部２０の先端面の周縁にテーパ面１３ａが形成されているため、コネクタ用保護カバー１０のコネクタハウジング２への取り付け過程にあって、スムーズな挿入が可能である。
【００３７】
係止溝２０は、コネクタハウジング２の端子保持部であるランス９に係止するため、コネクタハウジング２側にコネクタ用保護カバー１０のロッド部１３が係止する部位を別途設ける必要がない。
【００３８】
また、ロッド部１３の先端面にテーパ面２０ａが形成されているため、前記実施形態と同様に、コネクタ用保護カバー１０のコネクタハウジング２への取り付け作業性が良い。
【００３９】
図６は、前記実施形態の第２変形例を示す。この第２変形例では、一対のロッド部１３は、前記第１変形例と同様に、長い寸法に形成されている。第２変形例でもロッド部１３先端部には、ランス９に係止する係止部である係止溝２０が設けられている。ロッド部１３の先端部は、第１変形例とは異なり、四角注形状に形成されている。各ロッド部１３の先端面の周縁は、前記実施形態と同様に、テーパ面１３ａに形成されている。
【００４０】
この第２変形例でも、コネクタ用保護カバー１０のコネクタハウジング２への取り付け状態にあって、ロッド部１３の係止溝２０がランス９に係止するため、コネクタ用保護カバー１０をコネクタハウジング２に更に強固に取り付けできる。
【００４１】
前記実施形態、第１変形例及び第２変形例では、共に一対のロッド部１３、つまり、２本のロッド部１３が設けられているが、ロッド部１３は、１本でも良く、また、３本以上設けても良い。
【符号の説明】
【００４２】
２  コネクタハウジング
３ａ  電線引出口
５  ハウジングロック部
９  ランス（端子保持部）
１０  コネクタ用保護カバー
１１  カバー本体
１２  ハウジング嵌合部
１３  ロッド部
１４  ロック保護壁
２０  係止溝（係止部）
Ｗ  電線
【図１】
2018198192.tif 000003
【図２】
2018198192.tif 000004
【図３】
2018198192.tif 000005
【図４】
2018198192.tif 000006
【図５】
2018198192.tif 000007
【図６】
2018198192.tif 000008
【図７】
2018198192.tif 000009
【図８】
2018198192.tif 000010
【図９】
2018198192.tif 000011